(57)【要約】【課題】土台と壁体との固定が簡易かつ確実で、かつ土台上での壁体の位置決めが容易なログハウス組立キット及びログハウスの提供を目的とする。【解決手段】本発明は、方形に組み立てられる４本の角柱状土台部材と、組み立てられた土台部材上に井桁状に載置され、各側交互に組積みして壁体を構成する複数の長方形板状壁体部材と、組積みされた壁体部材の上部に付設される屋根部材と、組み立てられた土台部材上に敷設される床部材とを備えるログハウス組立キットであって、土台部材が、Ｌ字状断面に形成され、外側に長方形状の壁体載置面を有していることを特徴とする。Ｘ方向の一対の土台部材の壁体載置面の高さ（ｈ１）とＹ方向の一対の土台部材の壁体載置面の高さ（ｈ２）との差（ｈ１−ｈ２）を壁体部材の上下幅（Ｗ）の１／２にするとよい。壁体載置面の幅（ｗ）を上記壁体部材の厚さ（ｔ）以下とするとよい。【選択図】図１
2008231887.tif 000002
【特許請求の範囲】
【請求項１】
略水平に配設され、方形に組み立てられる４本の角柱状土台部材と、
組み立てられた土台部材上に井桁状に載置され、各側交互に組積みして壁体を構成する複数の長方形板状壁体部材と、
組積みされた壁体部材の上部に付設される屋根部材と、
組み立てられた土台部材上に敷設される床部材とを備えるログハウス組立キットであって、
上記土台部材が、Ｌ字状断面に形成され、外側下段に長方形状の壁体載置面を有していることを特徴とするログハウス組立キット。
【請求項２】
Ｘ方向の一対の土台部材の壁体載置面の高さ（ｈ１）とＹ方向の一対の土台部材の壁体載置面の高さ（ｈ２）との差（ｈ１−ｈ２）が、壁体部材の上下幅（Ｗ）の１／２である請求項１に記載のログハウス組立キット。
【請求項３】
壁体載置面の幅（ｗ）が、上記壁体部材の厚さ（ｔ）以下とされている請求項１又は請求項２に記載のログハウス組立キット。
【請求項４】
Ｙ方向の土台部材が、壁体載置面の内側に隣接する長方形状の壁体当接面に、長手方向の突条部を有し、
このＹ方向の土台部材に載置される壁体部材が、その土台部材と当接する内側面に、長手方向の溝部を有し、
この土台部材に壁体部材を載置した状態で上記突条部と溝部とが嵌合するよう構成されている請求項１、請求項２又は請求項３に記載のログハウス組立キット。
【請求項５】
Ｙ方向の土台部材が、壁体載置面の内側に隣接する長方形状の壁体当接面に、長手方向の溝部を有し、
このＹ方向の土台部材に載置される壁体部材が、その土台部材と当接する内側面における上記溝部と対偶する位置に、長手方向の溝部を有し、
この土台部材に壁体部材を載置した状態で対偶する両溝部に嵌合する柱状の係止部材を備えている請求項１、請求項２又は請求項３に記載のログハウス組立キット。
【請求項６】
上記４本の土台部材が凹凸嵌合構造により結合される請求項１から請求項５のいずれか１項に記載のログハウス組立キット。
【請求項７】
請求項１から請求項６のいずれか１項に記載のログハウス組立キットを組み立ててなるログハウス。
【発明の詳細な説明】
【技術分野】
【０００１】
本発明は、ログハウス組立キット及びログハウスに関し、詳細には小型ログハウスに好適な組立キット及びログハウスに関するものである。
【背景技術】
【０００２】
近年、自然志向やＤＩＹ志向から、リゾート用建物のみならず、一般の住宅建物又はその付属的建物として、丸太を用いた本格的ログハウスや加工木材を用いた小型ログハウスが普及しつつある。
【０００３】
板材、角材等の加工木材を用いた従来のログハウスは、一般的には図７に示すように、土台５１、壁体５２、屋根５３、床等から構成される（例えば特開平７−３１７１７７号公報、特開平８−２３９９２３号公報、特開２００２−５４２２９号公報、特開２００４−５２４７８号公報等参照）。
【０００４】
土台５１は、同一の方形断面形状を有する４本（二対）の土台部材５４を略水平に配設し、方形に組み立てることで構成される。壁体５２は、両端近傍に嵌合凹部を有する複数の長方形板状壁体部材５５を用い、土台５１上に井桁状にかつ各側交互に組積みすることで構成される。屋根５３は、棟木、垂木、妻壁部、屋根板等からなり、壁体５２上に付設される。床は、複数の平板からなり、土台５１上に敷設される。
【０００５】
上記従来のログハウスにおいて、比較的大きなログハウスの場合、特開２００４−５２４７８号公報等に開示されているように壁体５２は土台５１にボルト及びナットで固定されている。一方、２畳〜８畳程度の小型のログハウスの場合、壁体５２は土台５１上に単に載置されるだけか、あるいは図８に示すように壁体部材５５から土台部材５４に斜めに釘５６を打ち込むことで固定されている。
【特許文献１】特開平７−３１７１７７号公報
【特許文献２】特開平８−２３９９２３号公報
【特許文献３】特開２００２−５４２２９号公報
【特許文献４】特開２００４−５２４７８号公報
【発明の開示】
【発明が解決しようとする課題】
【０００６】
上記従来のボルト及びナットによる壁体５２の固定方法は、固定強度が大きいが、構造が複雑になり、組立の困難性や製造コストの上昇を招来する。また、このボルト及びナットによる固定方法は、比較的薄い壁体部材５５を用いる小型のログハウスへの適用は困難である。
【０００７】
一方、ログハウスが台風等の強風を受けた場合には転倒させる方向に力が作用するが、上記従来の釘止めによる壁体５２の固定方法は、この転倒させる方向の力に対して固定力が非常に弱いという不都合がある。
【０００８】
また、上記従来のログハウスのように土台５１上に壁体５２を載置する方法では、土台５１上の壁体５２の位置決めが容易ではなく、土台５１と壁体５２との外側面にズレが生じ安くなる。このような土台５１と壁体５２との外側面のズレは、雨水等が溜まる要因になり、土台５１等の腐食等を早めるおそれがある。
【０００９】
本発明はこれらの不都合に鑑みてなされたものであり、土台と壁体との固定が簡易かつ確実で、かつ土台上での壁体の位置決めが容易なログハウス組立キット及びログハウスの提供を目的とするものである。
【課題を解決するための手段】
【００１０】
上記課題を解決するためになされた発明は、
略水平に配設され、方形に組み立てられる４本の角柱状土台部材と、
組み立てられた土台部材上に井桁状に載置され、各側交互に組積みして壁体を構成する複数の長方形板状壁体部材と、
組積みされた壁体部材の上部に付設される屋根部材と、
組み立てられた土台部材上に敷設される床部材とを備えるログハウス組立キットであって、
上記土台部材が、Ｌ字状断面に形成され、外側下段に長方形状の壁体載置面を有していることを特徴とするログハウス組立キットである。
【００１１】
当該ログハウス組立キットは、土台部材が、Ｌ字状断面に形成され、外側下段に長方形状の壁体載置面を有していることから、土台部材上での壁体部材の位置決めが容易かつ確実になる。また当該ログハウス組立キットは、土台部材の外側の一段下に形成されるテラス状の壁体載置面に壁体部材を載置することから、方形に組み立てた土台部材の上部外側が井桁状に組積みした壁体部材により包囲、拘束される。そのため、当該ログハウス組立キットは、土台部材を組み立てた土台と壁体部材を組積みした壁体との係合強度が本質的に高く、さらに釘、ネジ釘、ボルト等の固定具を略水平に打ち込むことで壁体部材と土台部材とを強固に固定することができる。
【００１２】
当該ログハウス組立キットにおいて、Ｘ方向の一対の土台部材の壁体載置面の高さ（ｈ１）とＹ方向の一対の土台部材の壁体載置面の高さ（ｈ２）との差（ｈ１−ｈ２）を、壁体部材の上下幅（Ｗ）の１／２にするとよい。このように、Ｘ方向の壁体載置面の高さ（ｈ１）とＹ方向の壁体載置面の高さ（ｈ２）との差（ｈ１−ｈ２）を壁体部材の上下幅（Ｗ）の１／２にすることで、各側交互に組積みして壁体を構成する複数の壁体部材のうち最下部の壁体部材も同様の上下幅（Ｗ）とすることができ、構成材料の単一化を促進することができる。
【００１３】
当該ログハウス組立キットにおいて、壁体載置面の幅（ｗ）を上記壁体部材の厚さ（ｔ）以下とするとよい。このように、壁体載置面の幅（ｗ）を上記壁体部材の厚さ（ｔ）以下とすることで、ログハウスに掛かった雨水等の流下性が促進され、隙間に雨水等が滞留することによる土台部材等の腐食を抑制することができる。
【００１４】
Ｙ方向の土台部材が壁体載置面の内側に隣接する長方形状の壁体当接面に長手方向の突条部を有し、このＹ方向の土台部材に載置される壁体部材がその土台部材と当接する内側面に長手方向の溝部を有し、この土台部材に壁体部材を載置した状態で上記突条部と溝部とが嵌合するよう構成するとよい。このように、Ｙ方向の土台部材（つまり壁体載置面が低い方の土台部材）の壁体当接面と壁体部材の内側面との間に凹凸嵌合構造を有すると、上記釘等の固定具を用いなくても、土台部材上に複数の壁体部材を井桁状かつ各側交互に組積みした状態で、壁体部材を土台部材に簡易かつ確実に連結することができる。
【００１５】
一方、Ｙ方向の土台部材が壁体載置面の内側に隣接する長方形状の壁体当接面に長手方向の溝部を有し、このＹ方向の土台部材に載置される壁体部材がその土台部材と当接する内側面における上記溝部と対偶する位置に長手方向の溝部を有し、この土台部材に壁体部材を載置した状態で対偶する両溝部に嵌合する柱状の係止部材を備えてもよい。このように、Ｙ方向の土台部材の壁体当接面と壁体部材の内側面に対偶する溝部を有し、この対偶する両溝部に嵌合する柱状の係止部材を備えると、上記釘等の固定具を用いなくても、土台部材上に複数の壁体部材を井桁状かつ各側交互に組積みし、対偶する両溝部に係止部材を嵌合した状態で、壁体部材を土台部材に簡易かつ確実に連結することができる。
【００１６】
上記４本の土台部材を凹凸嵌合構造により結合するとよい。上述のように当該ログハウス組立キットは、土台部材の外側に段差を有し、その下段（壁体載置面）に壁体部材を載置するため、壁体部材を井桁状に組積みした状態で方形の土台部材の外側が拘束される。そのため、このように４本の土台部材を単なる凹凸嵌合構造で組み立てるだけでも、土台部材同士が連結され、組立状態を維持することができる。
【００１７】
従って、当該ログハウス組立キットを組み立ててなるログハウスは、上述のように土台と壁体との固定が簡易かつ確実で、かつ土台上での壁体の位置決めが容易であるため、組立の困難性やコストの上昇を招来することなく、強度の向上を図ることができる。そのため、当該ログハウスは、台風等の強風を受けた際の転倒させる方向の力に対しても十分耐えうる構造となる。
【００１８】
ここで、「外側」及び「内側」とは、組み立てた状態において、ログハウスの外側及び内側に相当する方向を意味する。「Ｘ方向」とは、水平面上における任意の一方向を意味する。「Ｙ方向」とは、水平面上におけるＸ方向と垂直方向を意味する。
【発明の効果】
【００１９】
以上説明したように、本発明のログハウス組立キット及びログハウスは、組立の困難性やコストの上昇を招来することなく、土台部材と壁体部材との固定強度を向上することができる。また、当該ログハウス組立キット及びログハウスは、構成材料の単一化による製造コストの低減化を促進することができる。
【発明を実施するための最良の形態】
【００２０】
以下、適宜図面を参照しつつ本発明の実施の形態を詳説する。図１は本発明の一実施形態に係るログハウス組立キットを示す模式的斜視図、図２は図１のログハウス組立キットの角部を示す模式的拡大斜視図、図３は図１のログハウス組立キットを組み立てた状態の角部を示す模式的正面図、図４は図１のログハウス組立キットにおける土台部材の結合方法の一例を示す模式的平面図、図５は図１のログハウス組立キットとは異なる形態のログハウス組立キットの土台部材及び最下壁体部材を示す模式的断面図、図６は図１及び図５のログハウス組立キットとは異なる形態のログハウス組立キットの土台部材及び最下壁体部材を示す模式的断面図である。
【００２１】
図１のログハウス組立キットは、主に、４本の土台部材１と、複数の壁体部材２と、屋根部材（図示していない）と、床部材（図示していない）とを備えている。これらの各構成部材の形成材料としては、例えば天然木材、成形木材、木質合成材（合成樹脂等を用いたもの）などが使用される。
【００２２】
４本の土台部材１は、略水平に配設され、方形に組み立てられることでログハウスの土台を構成するものである。４本の土台部材１は、それぞれ同様の高さ及び幅を有する角柱状体であり、Ｘ方向に配設される一対の土台部材１ａと、Ｙ方向に配設される一対の土台部材１ｂとからなる。この一対の土台部材１ｂは、一対の土台部材１ａの両端部に掛け渡すよう垂直に配設される。
【００２３】
一対の土台部材１ａは、同一のＬ字状断面に形成され、外側下段に細長い長方形状の壁体載置面３ａを有している。一対の土台部材１ｂも、同一のＬ字状断面に形成され、外側に細長い長方形状の壁体載置面３ｂを有している。この土台部材１ａの壁体載置面３ａの高さ（ｈ１）と土台部材１ｂの壁体載置面３ｂの高さ（ｈ２）とは、異なるよう形成され、壁体載置面３ａの高さ（ｈ１）より壁体載置面３ｂの高さ（ｈ２）が低くなるよう形成されている（図２参照）。土台部材１ａの壁体載置面３ａの幅（ｗ）と土台部材１ｂの壁体載置面３ｂの幅（ｗ）とは同じに形成されている。なお、一対の土台部材１ｂの端部には、組み立てた状態で一対の土台部材１ａと共にＸ方向に連続する壁体載置面３ａを構成するよう段差が形成されている。
【００２４】
４本の土台部材１の結合方法としては、特に限定されるものではなく、例えば釘止め、ネジ止め、ボルト・ナットによる固定等の公知の手段が採用されるが、図４に示すような凹凸嵌合構造による組立が好ましい。この凹凸嵌合構造は、具体的には一対の土台部材１ａの端面に形成されるホゾ（凸部）５と、一対の土台部材１ｂの端部近傍の内側面に形成されるホゾ穴（凹部）６とからなり、４本の土台部材１を方形に組み立てた状態でホゾ５とホゾ穴６とが嵌合するよう形成されている。後述するように当該ログハウス組立キットは、土台部材１の外側に段差テラス状の壁体載置面３を有し、その壁体載置面３に壁体部材２を載置するため、壁体部材２を井桁状に組積みした状態で方形の土台部材１の外側が拘束される。そのため、当該ログハウス組立キットは、４本の土台部材１の結合方法として、蟻留めやボルト・ナット等を用いず、当該手段のように単なる凹凸嵌合構造で組み立てるだけでも、土台部材１上に複数の壁体部材２を井桁状かつ各側交互に組積みすることで、土台部材１同士が固定され、組立状態を維持することができる。
【００２５】
複数の壁体部材２は、原則的に所定の厚さ（ｔ）及び所定の上下幅（Ｗ）を有する長方形板状体であり、方形に組み立てられた土台部材１上に井桁状に載置され、各側交互に組積みして壁体を構成するものである。複数の壁体部材２は、Ｘ方向に配設される複数の壁体部材２ａとＹ方向に配設される複数の壁体部材２ｂとからなる。
【００２６】
壁体部材２ａは、土台部材１ａより長く、両端部近傍の上下には凹部４ａが形成されている。壁体部材２ｂは、土台部材１ｂより長く、両端部近傍の上下には凹部４ｂが形成されている。壁体部材２ａの凹部４ａの左右間隔は組み立てた状態の一対の土台部材１ｂの一対の壁体載置面３ｂの間隔と等しく、壁体部材２ｂの凹部４ｂの左右間隔は組み立てた状態の一対の土台部材１ａの一対の壁体載置面３ａの間隔と等しい。凹部４ａ及び凹部４ｂの幅（ｂ）は壁体部材２の厚さ（ｔ）と略等しく（嵌合容易性のため若干大きい）形成され、深さ（ｄ）は壁体部材２の上下幅（Ｗ）の１／４に形成されている。これにより、Ｘ方向の壁体部材２ａとＹ方向の壁体部材２ｂとが、上下幅（Ｗ）の１／２ずつずらして組積みされる。
【００２７】
なお、Ｙ方向の最下部に配設される壁体部材２ｂは、下方の凹部４ｂがなく、上方の左右両側の一対の凹部４ｂのみが形成される。このＹ方向の最下部に配設される壁体部材２ｂの上下幅は、後述するようにＸ方向の壁体載置面３ａの高さ（ｈ１）とＹ方向の壁体載置面３ｂの高さ（ｈ２）との差（ｈ１−ｈ２）を壁体部材２の上下幅（Ｗ）の１／２にしない場合にはその差（ｈ１−ｈ２）に応じて調整される。またＹ方向の最上部に配設される壁体部材２ｂは、上方の凹部４ｂがなく、下方の左右両側の一対の凹部４ｂのみが形成される。このＹ方向の最上部に配設される壁体部材２ｂの上下幅は、壁体部材２の上下幅（Ｗ）の１／２とされる。
【００２８】
屋根部材は、組積みされた壁体部材２の上部に付設され、屋根を構成するものである。この屋根部材は、特に限定されるものではなく、付設される屋根の形状に応じて適宜選定される。屋根部材としては、具体的には棟木、垂木、妻壁部、屋根板等を含み、その他に屋根保護材等を含んでもよい。
【００２９】
床部材は、組み立てられた土台部材１上に敷設され、床を構成するものである。この床部材は、特に限定されるものではなく、床に応じて適宜選定される。床部材としては、具体的には複数の平板状床材からなり、通常は方形に組み立てた土台部材１の上面に掛け渡されるように敷設される。
【００３０】
当該ログハウス組立キットは、土台部材１がＬ字状断面を有し、土台部材１を方形に組み立てた状態で外側の下段に長方形状の壁体載置面３ａ、３ｂを有していることから、土台部材１上での壁体部材２の位置決めが容易かつ確実になる。また、当該ログハウス組立キットは、土台部材１の外側の一段下に形成されるテラス状の壁体載置面３に壁体部材２を載置することから、図３に示すように方形に組み立てた土台部材１の上部外側が井桁状に組積みした壁体部材２により包囲、拘束される。そのため、当該ログハウス組立キットは、土台部材１を組み立てた土台と壁体部材２を組積みした壁体との係合強度が本質的に高く、さらに釘、ネジ釘、ボルト等の固定具を略水平に打ち込むことで壁体部材２と土台部材１とを強固に固定することができる。
【００３１】
当該ログハウス組立キットにおいて、Ｘ方向の一対の土台部材１ａの壁体載置面３ａの高さ（ｈ１）とＹ方向の一対の土台部材１ｂの壁体載置面３ｂの高さ（ｈ２）との差（ｈ１−ｈ２）を、壁体部材２の上下幅（Ｗ）の１／２にするとよい。このように、Ｘ方向の壁体載置面３ａの高さ（ｈ１）とＹ方向の壁体載置面３ｂの高さ（ｈ２）との差（ｈ１−ｈ２）を壁体部材２の上下幅（Ｗ）の１／２にすることで、各側交互に組積みして壁体を構成する複数の壁体部材２のうち最下部に配設されるＹ方向の壁体部材２ｂも同様の上下幅（Ｗ）とすることができ、構成材料の単一化を促進することができる。
【００３２】
当該ログハウス組立キットにおいて、壁体載置面３ａ、３ｂの幅（ｗ）を上記壁体部材２の厚さ（ｔ）以下とするとよい。このように、壁体載置面３ａ、３ｂの幅（ｗ）を上記壁体部材２の厚さ（ｔ）以下とすることで、ログハウスに掛かった雨水等の流下性が促進され、土台部材１と壁体部材２の隙間に雨水等が滞留することによる腐食を抑制することができる。
【００３３】
図５のログハウス組立キットは、図１のログハウス組立キットと同様であるが、以下の点で相違する。Ｙ方向の土台部材１ｂは、壁体載置面３ｂの内側に隣接する長方形状の壁体当接面７（垂直面）に長手方向の突条部８を有している。一方、このＹ方向の土台部材１ｂに載置される最下部の壁体部材２ｂは、内側面９（土台部材１ｂと当接する面）に長手方向の溝部１０を有している。この土台部材１ｂに壁体部材２ｂを載置した状態で上記突条部８と溝部１０とが嵌合するよう構成されている。突条部８及び溝部１０の断面形状としては、特に限定されず、例えば方形状、半円状等が採用される。
【００３４】
当該ログハウス組立キットは、壁体載置面が低い方のＹ方向の土台部材１ｂの壁体当接面７と壁体部材２ｂの内側面９との間に突条部８及び溝部１０からなる凹凸嵌合構造を有するため、釘等の固定具を用いなくても、土台部材１上に複数の壁体部材２を井桁状かつ各側交互に組積みした状態で、壁体部材２を土台部材１に簡易かつ確実に固定することができる。
【００３５】
図６のログハウス組立キットは、図１のログハウス組立キットと同様であるが、以下の点で相違する。Ｙ方向の土台部材１ｂは、長方形状の壁体当接面７に長手方向の溝部１１を有している。一方、このＹ方向の土台部材１ｂに載置される最下部の壁体部材２ｂは、内側面９の上記溝部１１と対偶する位置に長手方向の溝部１２を有している。加えて、当該ログハウス組立キットは、この土台部材１ｂに壁体部材２ｂを載置した状態で対偶する両溝部１１、１２により構成される空間に嵌合する柱状の係止部材１３を備えている。この溝部１１、１２の断面形状としても、特に限定されず、例えば方形状、半円状等が採用される。
【００３６】
当該ログハウス組立キットは、釘等の固定具を用いなくても、対偶する両溝部１１、１２に係止部材１３を嵌合させ、土台部材１上に複数の壁体部材２を井桁状かつ各側交互に組積みすることで、壁体部材２を土台部材１に簡易かつ確実に固定することができる。
【００３７】
当該ログハウスは、４本の土台部材１を略水平に配設して方形に組み立て、その土台部材１上に複数の壁体部材２を井桁状に載置して各側交互に組積みし、その壁体部材２の上部に屋根部材を付設し、土台部材１上に床部材を敷設することで、組み立てることができる。
【００３８】
当該ログハウスは、上述のように土台と壁体との固定が簡易かつ確実で、かつ土台上での壁体の位置決めが容易であるため、組立の困難性やコストの上昇を招来することなく、強度の向上を図ることができる。そのため、当該ログハウスは、台風等の強風を受けた際の転倒させる方向の力に対しても十分耐えうる構造となる。
【００３９】
なお、本発明のログハウス組立キット及びログハウスは、上記実施形態に限定されるものではなく、例えば、壁体に出入口を構成するための出入口部材や、壁体に窓を構成するための窓部材などを備えることができる。また、上記凹凸嵌合構造は、凹部及び凸部の形成個所が逆でも可能である。
【産業上の利用可能性】
【００４０】
以上のように、本発明のログハウス組立キット及びログハウスは、２畳〜８畳程度の小型のログハウスとして有用であり、特に今日普及しつつある簡易な店舗、遊び小屋、遊園地等の管理小屋、書斎、物置などに好適に使用される。
【図面の簡単な説明】
【００４１】
【図１】本発明の一実施形態に係るログハウス組立キットを示す模式的斜視図
【図２】図１のログハウス組立キットの角部を示す模式的拡大斜視図
【図３】図１のログハウス組立キットを組み立てた状態の角部を示す模式的正面図
【図４】図１のログハウス組立キットにおける土台部材の結合方法の一例を示す模式的平面図
【図５】図１のログハウス組立キットとは異なる形態のログハウス組立キットの土台部材及び最下壁体部材を示す模式的断面図
【図６】図１及び図５のログハウス組立キットとは異なる形態のログハウス組立キットの土台部材及び最下壁体部材を示す模式的断面図
【図７】従来の一般的なログハウスを示す模式的斜視図
【図８】従来のログハウスの土台部材と壁体部材との固定状態を示す模式的断面
【符号の説明】
【００４２】
１  土台部材
１ａ  Ｘ方向の土台部材
１ｂ  Ｙ方向の土台部材
２  壁体部材
２ａ  Ｘ方向の壁体部材
２ｂ  Ｙ方向の壁体部材
３  壁体載置面
３ａ  Ｘ方向の壁体載置面
３ｂ  Ｙ方向の壁体載置面
４ａ  凹部
４ｂ  凹部
５  ホゾ
６  ホゾ穴
７  壁体当接面
８  突条部
９  内側面
１０  溝部
１１  溝部
１２  溝部
１３  係止部材
【図１】
2008231887.tif 000003
【図２】
2008231887.tif 000004
【図３】
2008231887.tif 000005
【図４】
2008231887.tif 000006
【図５】
2008231887.tif 000007
【図６】
2008231887.tif 000008
【図７】
2008231887.tif 000009
【図８】
2008231887.tif 000010